(57)【要約】【課題】外力により損傷する虞のあるコード、ロープまたはチューブを外力から確実に保護することができ、かつ、保護対象となるコード、ロープまたはチューブを必要に応じて相対的に滑動させることができる保護シースを提供する。【解決手段】保護対象となる電源コードＣの外周に切割り部１１の開口を通して装着された保護シース１０は、電源コードＣがドアＤに挟まれて剪断力を受ける部位に置かれる。この保護シース１０は、難滑性の合成ゴムなどからなる本体の難滑性により、ドアＤに挟まれた位置に留まり、その本体の弾性により、ドアＤに挟まれる電源コードＣを剪断力から保護する。その際、本体の内周側に配置された易滑性のポリエチレンテレフタレート（ＰＥＴ）からなるガイド体が電源コードＣを相対的に滑動自在とする。【選択図】図４
2012235660.tif 000002
【特許請求の範囲】
【請求項１】
保護対象となるコード、ロープまたはチューブの外周に装着するための切割り部を有する筒状の保護シースであって、
難滑性のエラストマーからなる本体と、この本体の内周側に配置された易滑性の合成樹脂からなるガイド体とを有することを特徴とする保護シース。
【発明の詳細な説明】
【技術分野】
【０００１】
本発明は、外力により損傷する虞のあるコード、ロープまたはチューブを外力から保護するようにこれらに装着される保護シースに関するものである。
【背景技術】
【０００２】
一般に、電気機器の電源コードは、比較的軟質の絶縁材で芯線が被覆されているため、大きな剪断力や曲げ力などの外力が繰り返して作用すると、損傷して芯線が断線する虞がある。そこで、従来、電気コードを外力から保護して損傷を予防するようにした保護シースが提案されている（例えば特許文献１参照）。
【０００３】
ここで、特許文献１には、電気製品の本体から導出された電源コードがその導出部位で屈曲疲労により断線するのを防止するためのコードブッシング（保護シース）が記載されている。このコードブッシング（保護シース）は、弾力性のある合成樹脂製の内側ブッシングおよび外側ブッシングからなり、電気製品の本体に装着されている。
【０００４】
また、特許文献２には、内視鏡や処置具などの医療用挿入具を破損させることなく挿入できるようにした保護シースが記載されている。この保護シースは、手元側の硬性部と、この硬性部の先端側に連結された可撓性を有する軟性部とで構成されている。
【先行技術文献】
【特許文献】
【０００５】
【特許文献１】特開２０１０−９８７６号公報
【特許文献２】特開平５−１２３２８７号公報
【発明の概要】
【発明が解決しようとする課題】
【０００６】
ところで、特許文献１に記載の保護シース（コードブッシング）は、電気製品の本体から導出された電源コードが導出部位で屈曲疲労により断線するのを防止するものであって、保護対象となる電源コードを必要に応じて相対的に滑動させることはできない。
【０００７】
一方、特許文献２に記載の保護シースは、医療用挿入具を破損させることなく挿入できるようにしたものであって、予め、医療用挿入具の挿入補助具内に挿通されて使用される。このため、電気製品の電源コードなどを外力から保護するように使用することはできない。
【０００８】
本発明は、このような従来技術の問題点に対応してなされたものであり、電気製品の電源コードなど、外力により損傷する虞のあるコード、ロープまたはチューブを外力から確実に保護することができ、かつ、保護対象となるコード、ロープまたはチューブを必要に応じて相対的に滑動させることができる保護シースを提供することを課題とする。
【課題を解決するための手段】
【０００９】
このような課題を解決するため、本発明に係る保護シースは、保護対象となるコード、ロープまたはチューブの外周に装着するための切割り部を有する筒状の保護シースであって、難滑性のエラストマーからなる本体と、この本体の内周側に配置された易滑性の合成樹脂からなるガイド体とを有することを特徴とする。
【００１０】
本発明に係る保護シースは、外力により損傷する虞のあるコード、ロープまたはチューブを外力から保護するため、そのコード、ロープまたはチューブの外周に切割り部の開口を通して装着される。そして、この保護シースは、コード、ロープまたはチューブが外力を受ける部位に置かれる。
【００１１】
このような保護シースの装着状態において、難滑性のエラストマーからなる本体は、その難滑性により外力を受ける位置に留まり、その本体の弾性によりコード、ロープまたはチューブを外力から保護する。その際、本体の内周側に配置された易滑性の合成樹脂からなるガイド体は、コード、ロープまたはチューブを相対的に滑動自在とする。
【００１２】
本発明の保護シースにおいて、コード、ロープまたはチューブを相対的に滑動自在とするガイド体は、本体の少なくとも両端部のみ、あるいは中間部のみに配置されていればよく、本体の両端部と中間部とに配置されていてもよいし、本体の全長に亘って配置されていてもよい。
【００１３】
ここで、ガイド体が蛇腹状の断面形状を有していると、コード、ロープまたはチューブに対する接触抵抗が減少するため、コード、ロープまたはチューブはガイド体に対し一層円滑に滑動できるようになる。
【発明の効果】
【００１４】
本発明に係る保護シースでは、難滑性のエラストマーからなる本体がその難滑性により外力を受ける位置に留まり、その本体の弾性によりコード、ロープまたはチューブを外力から保護する。その際、本体の内周側に配置された易滑性の合成樹脂からなるガイド体は、コード、ロープまたはチューブを相対的に滑動自在とする。
【００１５】
従って、本発明に係る保護シースによれば、保護対象となるコード、ロープまたはチューブを外力から確実に保護することができ、かつ、保護対象となるコード、ロープまたはチューブを必要に応じて相対的に滑動させることができる。
【図面の簡単な説明】
【００１６】
【図１】本発明の一実施形態に係る保護シースの外観を示す斜視図である。
【図２】図１に示した保護シースの軸方向と直交する横断面図である。
【図３】図１に示した保護シースの軸方向に沿った縦断面図である。
【図４】図１に示した保護シースがドアに挟まれた状態の使用例を示す平断面図である。
【図５】図１に示した保護シースの第１変形例を示す図１に対応した斜視図である。
【図６】図１に示した保護シースの第２変形例を示す図３に対応した縦断面図である。
【図７】図１に示した保護シースの第３変形例を示す図３に対応した縦断面図である。
【図８】図１に示した保護シースの第４変形例を示す図３に対応した縦断面図である。
【図９】図１に示した保護シースの第５変形例を示す図３に対応した縦断面図である。
【図１０】図１に示した保護シースを複数連結可能に構成した他の変形例を示す正面図である。
【図１１】図１０に示した複数の保護シースの変形例を示す図１０に対応した正面図である。
【発明を実施するための形態】
【００１７】
以下、添付の図面を参照して本発明に係る保護シースの実施の形態を説明する。一実施形態の保護シースは、例えばオフィスビルや公共施設などで使用される業務用の掃除機、ポリッシャー、可動式送風機などの電源コードを保護対象として構成されている。
【００１８】
図１に示すように、一実施形態の保護シース１０は、保護対象となる電源コードＣの外周に装着される円筒状に形成されており、その周面には、電源コードＣの外周に装着するための切割り部１１が開口している。
【００１９】
切割り部１１は、保護シース１０の軸方向に沿って直線的に延びており、この切割り部１１の開口を挟んだ対向縁部の断面形状は、電源コードＣを円滑に通せるように、図２に示すような半円状とされている。
【００２０】
図３に示すように、円筒状の保護シース１０の両端部には、内周側に膨出することで電源コードＣの外周を案内する一対のガイド部１２，１２が形成されている。このガイド部１２，１２は、電源コードＣが円滑に滑動できるように、半円状の断面形状で内周側に膨出している。
【００２１】
ここで、図２および図３に示すように、保護シース１０は、肉厚の円筒状に形成された本体１３の内周側に肉薄の円筒状に形成されたガイド体１４が配置されて一体的に重ねられた構造を有する。
【００２２】
肉厚の本体１３は、表面が滑りにくい難滑性を有し、かつ、適度の弾性を有するエラストマー、例えば合成ゴムやＡＢＳ系の弾性樹脂からなる。一方、肉薄のガイド体１４は、表面が滑りやすい易滑性を有する合成樹脂、例えばポリエチレンテレフタレート（ＰＥＴ）やフッ素樹脂からなる。
【００２３】
以上のように構成された一実施形態の保護シース１０は、図４に示すように、掃除機等（図示省略）の電源コードＣを外力から保護するように、切割り部１１の開口を通して電源コードＣの外周に装着される。その際、切割り部１１の開口を挟んだ対向縁部の断面形状が図２に示すような半円状とされているため、電源コードＣは切割り部１１の開口を円滑に通過でき、保護シース１０は、電源コードＣの外周に容易に装着される。
【００２４】
電源コードＣの外周に装着された保護シース１０は、例えばオフィスビル内等のドアＤの開口部を通して引き廻された電源コードＣがドアＤに挟まれて大きな剪断力を受けるような部位に置かれる。すなわち、保護シース１０は、電源コードＣを挿通させた状態でドアＤの周縁部とドア枠Ｊとの間に挟持される。
【００２５】
ドアＤの周縁部とドア枠Ｊとの間に挟持された保護シース１０は、合成ゴムやＡＢＳ系の弾性樹脂からなる肉厚の本体１３が適度の弾性を有し、その表面が滑りにくい難滑性を有するため、ドアＤの周縁部およびドア枠Ｊを傷つけることなくドアＤに挟まれた位置に留まる。そして、この保護シース１０は、肉厚の本体１３および肉薄のガイド体１４による適度の剛性により、ドアＤに挟まれる剪断力から電源コードＣを保護する。
【００２６】
ここで、保護シース１０の内周側を構成する円筒状のガイド体１４は、表面が滑りやすい易滑性を有するポリエチレンテレフタレート（ＰＥＴ）やフッ素樹脂からなり、このガイド体１４の両端部が半円状の断面形状で内周側に膨出しているため、電源コードＣはガイド体１４に対して円滑に滑動できる。その結果、図示しない掃除機等の移動に応じて電源コードＣが引張られる場合においても、電源コードＣは保護シース１０内を円滑に滑動することができる。
【００２７】
従って、一実施形態の保護シース１０によれば、保護対象となる電源コードＣをドアＤに挟まれる剪断力から確実に保護することができ、かつ、保護対象となる電源コードＣを必要に応じて相対的に滑動させることができる。
【００２８】
本発明に係る保護シースは、前述した一実施形態に限定されるものではない。例えば、図１に示した保護シース１０の切割り部１１は、図５に示す保護シース２０の切割り部２１のように、保護シース２０の軸方向の中間部が円周方向に緩く湾曲する形態としてもよい。この場合、切割り部２１が湾曲しているため、保護シース２０内に挿通された電源コードＣが切割り部２１から不用意に引き出されることがない。
【００２９】
また、図３に示した保護シース１０のガイド体１４は、図６に示す保護シース３０のガイド体３４のように、蛇腹状の断面形状を有する円筒状、例えば、波形の断面形状が軸方向に連続する円筒状に変更し、これに対応して、保護シース３０の本体３３は、ガイド体３４の断面形状に合致する断面形状に変更することができる。
【００３０】
この場合、図６に示した保護シース３０内に挿通される電源コードＣは、ガイド体３４の軸方向に連続する波形断面形状の内面の突部に点接触するため、ガイド体３４に対して一層円滑に滑動できるようになる。
【００３１】
さらに、図３に示した保護シース１０の円筒状のガイド体１４は、図７に示す保護シース４０のガイド体４４，４４のように、円筒状の本体４３の両端部に配置されて内周側に半円状の断面形状で膨出するリング状のものに変更することができる。
【００３２】
また、図３に示した保護シース１０の円筒状のガイド体１４は、図８に示す保護シース５０のガイド体５４のように、滑りやすいナイロン繊維などからなるウィッグを肉厚の円筒状に成形したものに変更することができる。なお、このガイド体５４は、円筒状の本体５３の両端部に形成された小径の絞り部５４，５４により抜け止めされる。
【００３３】
さらに、図３に示した保護シース１０の円筒状のガイド体１４は、図９に示す保護シース６０の円筒状の本体６３の内周に装着されるガイド体６４に変更することができる。このガイド体６４は、小径の円筒状のガイド部６４Ａと、このガイド部６４Ａの外周から本体６３の内面に向かって放射状に張り出す複数のフィン６４Ｂを有するものである。
【００３４】
ここで、一実施形態の保護シース１０は、例えばオフィスビルや公共施設などで使用される業務用の掃除機等の電源コードを保護対象としていたが、本発明の保護シースは、外力により損傷する虞のあるロープやチューブを外力から保護するものとして構成することができる。
【００３５】
図１０は、前述した保護シース１０を相互に複数個連結可能に構成したものであり、そのための構造として、保護シース１０の本体１３には、一端部にオス形連結手Ａが一体成形され、他端部にメス形連結手Ｂが一体成形されている。オス形連結手Ａは、例えば矢じり形に成形され、メス形連結手Ｂは矢じり形のオス形連結手Ａを係止可能な楕円などのリング形に成形されている。
【００３６】
図１０に示したオス形連結手Ａおよびメス形連結手Ｂを有する保護シース１０は、例えば瓦礫などの間を通して牽引される救援ロープ（図示省略）を所定長さに亘って保護するように、相互に複数個連結された状態で図示しない救援ロープの外周に装着される。
【００３７】
なお、図１０に示した矢じり形のオス形連結手Ａおよびリング形のメス形連結手Ｂは、図１１に示すような球形突部からなるオス形連結手Ａおよび球形凹部からなるメス形連結手Ｂに変更することができる。これらのオス形連結手Ａおよびメス形連結手Ｂは、保護シース１０の本体１３の円周方向の１個所に設けてもよいし、円周方向の対向位置に一対設けてもよい。
【００３８】
前述した保護シース２０，３０，４０，５０についても、図１０または図１１に示すようなオス形連結手Ａおよびメス形連結手Ｂを付設することで相互に複数個連結することができ、この状態で図示しない救援ロープの外周に装着することで、瓦礫などの間を通して牽引される救援ロープ（図示省略）を所定長さに亘って保護することができる。
【００３９】
また、本発明の保護シースは、病院や医院で使用される点滴用のチューブ等を保護対象とした小型の保護シースとして構成することができる。この場合、点滴用のチューブ等に装着した小型の保護シースを例えばトイレのドアに挟むことで、点滴用のチューブ等がトイレのドアに挟まれて点滴液が止まるのを防止することができる。
【符号の説明】
【００４０】
１０：保護シース
１１：切割り部
１２：ガイド部
１３：本体
１４：ガイド体
【図１】
2012235660.tif 000003
【図２】
2012235660.tif 000004
【図３】
2012235660.tif 000005
【図４】
2012235660.tif 000006
【図５】
2012235660.tif 000007
【図６】
2012235660.tif 000008
【図７】
2012235660.tif 000009
【図８】
2012235660.tif 000010
【図９】
2012235660.tif 000011
【図１０】
2012235660.tif 000012
【図１１】
2012235660.tif 000013